(57)【要約】【課題】ユーザに大きな負担をかけることなく、また、別途切り替えのための機構を設けることなく、虹彩画像の撮像および可視光画像の撮像を行うことのできる、小型化の可能な認証装置を提供する。【解決手段】光電変換要素上に可視光領域の光線を透過するカラーフィルタが形成された行と、光電変換要素上に近赤外領域の光線を透過する近赤外フィルタが形成された行とが交互に配列された撮像素子３と、撮像素子３からの出力信号を一行毎に可視光信号および近赤外光信号に分配する信号分配部４と、可視光信号を映像信号化する可視光信号処理部７と、近赤外光信号を映像信号化する近赤外光信号処理部８と、信号分配部の信号の分配を制御する制御部１７とを備えた。【選択図】　図１
2004086412.tif 000002
【特許請求の範囲】
【請求項１】
複数の光電変換要素からなる複数の光電変換要素行と、前記複数の光電変換要素行のそれぞれの光電変換要素上に形成されたフィルタとを備え、
前記複数の光電変換要素行のうち、奇数行または偶数行の光電変換要素上に形成されたフィルタが近赤外領域の光線を選択的に透過する近赤外フィルタであり、
前記複数の光電変換要素行のうち、前記近赤外フィルタが設けられていない行の光電変換要素上に形成されたフィルタが可視光領域の光線を選択的に透過する可視光フィルタであることを特徴とする撮像素子。
【請求項２】
前記可視光フィルタは、赤（Ｒ）、緑（Ｇ）および青（Ｂ）のうちいずれか１色を選択的に透過するフィルタから構成されることを特徴とする請求項１に記載の撮像素子。
【請求項３】
前記可視光フィルタは、マゼンタ（Ｍｇ）、黄（Ｙｅ）、緑（Ｇ）およびシアン（Ｃｙ）のうちいずれか１色を選択的に透過するフィルタから構成されることを特徴とする請求項１に記載の撮像素子。
【請求項４】
前記近赤外フィルタが形成された光電変換要素行の両側の行に配置された、一対の光電変換要素行の光電変換要素から可視光画像の電気信号が出力されることを特徴とする請求項１から請求項３までのいずれか１項に記載の撮像素子。
【請求項５】
光学系および請求項１から請求項４までのいずれか１項に記載の撮像素子と、
前記撮像素子からの出力信号を一行毎に可視光信号と近赤外光信号とに分配する信号分配部と、
前記可視光信号を映像信号に変換する可視光信号処理部と、
前記近赤外光信号を映像信号に変換する近赤外光信号処理部と、
前記信号分配部の信号の分配を制御する分配制御部とを備えたことを特徴とする画像撮像装置。
【請求項６】
請求項５に記載の画像撮像装置と、
前記可視光信号処理部から出力された映像信号にもとづいてアプリケーションの実行を行うアプリケーション実行部と、
前記近赤外光信号処理部から出力された映像信号から認証に用いるべき情報を作成する認証情報作成部と、認証に用いるべき情報を蓄積する認証情報蓄積部と、前記認証情報作成部から出力された情報と前記認証情報蓄積部に格納された情報とを照合する照合部とを備えたことを特徴とする認証装置。
【請求項７】
前記照合部での照合結果にもとづいて、前記アプリケーション実行部でのアプリケーション処理の実行の可否が制御されることを特徴とする請求項６に記載の認証装置。
【請求項８】
被写体に近赤外光を照射する照明部と、前記照明部を点滅駆動する光源駆動部と、前記光源駆動部の駆動を制御する制御部とを備え、
前記被写体の撮像を行う際には、前記制御部が前記光源駆動部を制御して、前記照明部が前記被写体の照明を行うことを特徴とする請求項６または請求項７に記載の認証装置。
【発明の詳細な説明】
【０００１】
【発明の属する技術分野】
本発明は、撮像された眼の画像情報にもとづいて個人認証を行う、入退室管理装置、携帯電話装置、パーソナルコンピュータ、ＰＤＡ（Ｐｅｒｓｏｎａｌ　Ｄｉｇｉｔａｌ　Ａｓｓｉｓｔａｎｔ）、デジタルカメラ等の、撮像装置を搭載した認証装置に関する。
【０００２】
【従来の技術】
近年、急速に普及している携帯電話装置等の情報装置に搭載すべき、本人認証を行う認証装置として、眼の虹彩パターンの画像情報にもとづいて本人認証を行う虹彩認証装置が、その高い本人認証率から注目されている。
【０００３】
特に、ＣＣＤカメラ等の撮像装置付きの携帯電話装置の急速な普及に伴い、このような携帯電話装置を認証装置として用いる、すなわち、搭載された撮像装置を利用して使用者の目画像を撮像し、取得される虹彩パターンを用いて本人認証を行うための様々な技術が提案されてきた。
【０００４】
その一例として、虹彩認証装置の構成について、出願人らは既に特願２００２−０５３８７３号において提案を行っている。
【０００５】
図５は、従来の虹彩認証装置における、撮像部付近の構成を示す図である。従来の虹彩認証装置の撮像部１００においては、撮像を行う撮像素子１０６の前面に、スライド可能なレンズユニット１０５が配置されている。
【０００６】
レンズユニット１０５は、望遠レンズ１０３および可視光カットフィルタ１０２からなる虹彩撮像ユニット１１１と、広角レンズ１０４および赤外光カットフィルタ１０１からなる可視画像撮像ユニット１１２とから構成される。
【０００７】
レンズユニット１０５は、図５に示したＡ方向にスライド可能に構成されている。この機構によって虹彩撮像と可視画像撮像の２つのユニットを切り替えることができ、認証に用いるべき虹彩画像および通常の可視領域での画像の撮像を、撮像素子１０６を共用して行うことが可能であった。
【０００８】
一般に、認証に用いるべき、人の眼の虹彩パターンを撮像する場合には、近赤外光を照射して、その反射光を撮像するとコントラストの高い画像が得られる（以下、こうして得られた画像を近赤外光画像と記す）ことが知られている。そこで、従来の虹彩認証装置において近赤外光画像を撮像する際には、図示しない光源部から近赤外光を眼の周辺に照射し、照射された近赤外光の虹彩からの反射光を、前述の虹彩撮像ユニット１１１を通して撮像素子１０６にて撮像を行う構成であった。
【０００９】
一方、風景や人物等の可視光の画像（以下、可視光画像と記す）の撮像を行う場合には、レンズユニット１０５をスライドさせて、可視画像撮像ユニット１１２を通して撮像素子１０６にて撮像を行う構成であった。
【００１０】
【発明が解決しようとする課題】
しかしながら、前述のような従来の虹彩認証装置においては、被写体が認証に用いるべき虹彩の画像であるか、その他の風景等の可視光画像であるかの違いによって、虹彩撮像ユニットおよび可視光画像撮像ユニットの２つのユニットを撮像の度に機械的に切り替えて用いる必要があり、これが、ユーザにとって大きな負担となっていた。
【００１１】
また、前述のような構成を実現するには、虹彩認証装置内に２つのユニットを導入する必要があると共に、別途２つのユニットを切り替えるための機構を導入する必要があるので、装置の小型化の際に障害となる可能性があった。
【００１２】
本発明はこのような課題に鑑みてなされたもので、ユーザに大きな負担をかけることなく、また、別途切り替えのための機構を設けることなく、虹彩の近赤外光画像の撮像および可視光画像の撮像を行うことのできる、小型化の可能な認証装置を提供することを目的とする。
【００１３】
【課題を解決するための手段】
本発明の撮像素子は、複数の光電変換要素からなる複数の光電変換要素行と、複数の光電変換要素行のそれぞれの光電変換要素上に形成されたフィルタとを備え、複数の光電変換要素行のうち、奇数行または偶数行の光電変換要素上に形成されたフィルタが近赤外領域の光線を選択的に透過する近赤外フィルタであり、複数の光電変換要素行のうち、近赤外フィルタが設けられていない行の光電変換要素上に形成されたフィルタが可視光領域の光線を選択的に透過する可視光フィルタであることを特徴としている。
【００１４】
このような構成の撮像素子を用いて認証装置を構成すれば、機械的なユニットの切替機構を導入せずとも、電気的な制御によって、可視光画像および近赤外光画像を切り替えて撮像することが可能である。また、一度の撮像で、可視光画像と近赤外光画像とを同時に撮像することができる。さらに、行毎に可視光フィルタと近赤外フィルタとが配置されているので、読み出し時にライン（行）毎に信号の分配を行うことにより、比較的簡易に可視光画像と近赤外光画像とを分離することができる。
【００１５】
また、可視光フィルタは、赤（Ｒ）、緑（Ｇ）および青（Ｂ）のうちいずれか１色を選択的に透過するフィルタから構成されることにより、可視光フィルタとして、既存の原色フィルタを用いることができ、簡易にフィルタの形成を行うことができる。
【００１６】
また、可視光フィルタは、マゼンタ（Ｍｇ）、黄（Ｙｅ）、緑（Ｇ）およびシアン（Ｃｙ）のうちいずれか１色を選択的に透過するフィルタから構成されることにより、可視光フィルタとして、既存の補色フィルタを用いることができ、簡易にフィルタの形成を行うことができる。また、原色フィルタを用いた構成と比較して、より感度の高い画像の撮像が行える。
【００１７】
また、近赤外フィルタが形成された光電変換要素行の両側の行に配置された、一対の光電変換要素行の光電変換要素から可視光画像の電気信号が出力されることにより、１フィールドが２ライン（行）で構成された電気信号を出力させることができるので、その電気信号を、広く用いられるカラーカメラの映像信号処理装置を用いて映像信号に変換することができる。
【００１８】
次に、本発明の画像撮像装置は、光学系および本発明のいずれかの撮像素子と、撮像素子からの出力信号を一行毎に可視光信号と近赤外光信号とに分配する信号分配部と、可視光信号を映像信号に変換する可視光信号処理部と、近赤外光信号を映像信号に変換する近赤外光信号処理部と、信号分配部の信号の分配を制御する分配制御部とを備えたことを特徴としている。
【００１９】
このような構成により、近赤外光画像および可視光画像の選択を、切替機構等を別途設ける必要がなく、電気的な制御で行うことができる、ユーザにとって負担の少ない、小型化の可能な、かつ装置への導入が容易な画像撮像装置を提供することができる。また、一度の撮像で可視光画像と近赤外光画像とを撮像できる画像撮像装置を提供することができる。
【００２０】
次に、本発明の認証装置は、本発明の画像撮像装置と、可視光信号処理部から出力された映像信号にもとづいてアプリケーションの実行を行うアプリケーション実行部と、近赤外光信号処理部から出力された映像信号から認証に用いるべき情報を作成する認証情報作成部と、認証に用いるべき情報を蓄積する認証情報蓄積部と、認証情報作成部から出力された情報と認証情報蓄積部に格納された情報とを照合する照合部とを備えたことを特徴としている。
【００２１】
このような構成により、近赤外光画像および可視光画像の選択を行う際に、切替機構等を別途設ける必要がない、ユーザにとって負担の少ない、小型化の可能な認証装置を提供することができる。また、一度の撮像で可視光画像と近赤外光画像とを撮像できる認証装置を提供することができる。
【００２２】
また、照合部での照合結果にもとづいて、アプリケーション実行部でのアプリケーション処理の実行の可否が制御される構成とすることにより、セキュリティ保護すべきコンテンツへのアクセスや、課金時やｅコマースを行う際等の本人認証を簡易に行うことができる。
【００２３】
さらに、被写体に近赤外光を照射する照明部と、照明部を点滅駆動する光源駆動部と、光源駆動部の駆動を制御する制御部とを備え、被写体の撮像を行う際には、制御部が光源駆動部を制御して、照明部が被写体の照明を行う構成とすることにより、よりコントラストの高い、認証に供するのに適した画像を撮像することが可能となる。
【００２４】
【発明の実施の形態】
以下、本発明の実施の形態について、図面を用いて詳細に説明する。
【００２５】
図１は本発明の実施の形態における認証装置の構成を示すブロック図である。
【００２６】
本実施の形態の認証装置２０は、使用者の眼１に対して近赤外光を照射すると共に、風景や人物等の他の被写体に対して可視光を照射する照明部１９、眼１や被写体を撮像し、可視光画像と近赤外光画像とが混在した電気信号を出力する撮像部２１、撮像部２１から出力された電気信号を、可視光画像の電気信号と近赤外光画像の電気信号とに分配して、それぞれを映像信号に変換する信号処理部２２、可視光画像を用いた様々なアプリケーションを実行するアプリケーション部２３、信号処理部２２から出力された近赤外光画像をコード化した認証に用いるべき情報と、あらかじめ蓄積された情報とを照合して使用者の認証を行う認証部２４、照明部１９の駆動、撮像部２１の撮像および信号処理部２２での信号の分配を制御する制御部１７、さらに、制御部１７へ認証開始等の指示を行うボタンやポインティングデバイス等からなる入力部１８、さらに、アプリケーション部２３でのアプリケーション実行結果や、認証部２４における認証結果等を表示するＬＣＤ（Ｌｉｑｕｉｄ　Ｃｒｙｓｔａｌ　Ｄｉｓｐｌａｙ）やＥＬ（Ｅｌｅｃｔｒｏ−Ｌｕｍｉｎｅｓｃｅｎｔ）等から構成される表示部１５を備える。
【００２７】
次に、認証装置２０の構成について、さらに詳しく説明する。
【００２８】
まず照明部１９は、虹彩パターンの撮像に望ましい近赤外光（約７００〜９００ｎｍ程度の波長域の光線）を照射する近赤外光照明部５、可視光を照射する可視光照明部６、照明部１９の点滅駆動を行う光源駆動部１６からなる。近赤外光照明部５は、良好なコントラストの虹彩パターンを撮像する際に有効な近赤外光を照射できる光源、例えばＬＥＤ（Ｌｉｇｈｔ　Ｅｍｉｔｔｉｎｇ　Ｄｉｏｄｅ）等で構成される。また、可視光照明部６は、可視光を照射できる光源であれば、ＬＥＤやハロゲンランプ等の公知の光源を用いることができる。
【００２９】
撮像部２１は光学系２および撮像素子３からなる。光学系２は広角から望遠まで、機械的または電子的に焦点距離（ズーム）の調節が可能な光学系が望ましい。
【００３０】
この撮像素子３の構成について、次に説明する。図２は、本発明の実施の形態における、撮像素子３のフィルタ構成の一例を示すための平面図である。撮像素子３は、複数の光電変換要素からなる平行に配列した複数の光電変換要素行から構成された、エリア型の固体撮像素子であり、例えばＣＣＤやＣＭＯＳセンサを用いることができる。
【００３１】
撮像素子３の表面の画素、すなわち光電変換要素（図示せず）上には、特定の波長の光線を選択的に透過させるようなフィルタが形成されている。光電変換要素の表面には、光電変換要素行毎に、可視光を選択的に透過する可視光フィルタと、近赤外光を選択的に透過する近赤外フィルタとが交互に配置された構成である。
【００３２】
図２において示した例では、上から順に、赤色を選択的に透過させるフィルタ（以下、Ｒフィルタと記す）と緑色を選択的に透過させるフィルタ（以下、Ｇフィルタと記す）とが交互に配列された第１の可視光ライン５１、近赤外光を選択的に透過させるフィルタ（以下、ＩＲフィルタと記す）が配列された近赤外光ライン５２、Ｇフィルタと青色を選択的に透過させるフィルタ（以下、Ｂフィルタと記す）とが交互に配列された第２の可視光ライン５３およびＩＲフィルタが配列された近赤外光ライン５４の４つのライン（行）が構成されている。図示しないが、この４つのライン（行）の配列が、撮像素子３のエリア内において順次繰り返されるように、フィルタが構成される。
【００３３】
このような構成の撮像素子３を用いて撮像を行うことにより、一度の撮像によって、近赤外光画像と可視光画像とを撮像して、その電気信号を出力することができる。
【００３４】
なお、Ｒフィルタ、Ｇフィルタ、Ｂフィルタ、ＩＲフィルタの材料およびその形成方法については、公知の材料および方法を用いることができる。
【００３５】
次に、信号処理部２２は、信号分配部４、可視光信号処理部７および近赤外光信号処理部８を備える。信号分配部４は、撮像素子３から出力された電気信号を、ライン（行）毎に振り分けて、可視光信号処理部７および近赤外光信号処理部８へ分配する。すなわち、撮像素子３のフィルタの配列が図２に示したものである場合には、信号分配部４は、奇数行の電気信号を、可視光画像の電気信号であるとみなして可視光信号処理部７へ送り、一方、偶数行の電気信号を、近赤外光画像の電気信号であるとみなして、近赤外光信号処理部８へと送るように、分配制御部である制御部１７によって制御される。
【００３６】
可視光信号処理部７は、可視光画像の電気信号をＡ／Ｄ変換した後、デジタル映像信号に変換する。また、近赤外光信号処理部８は、近赤外光画像の電気信号をＡ／Ｄ変換した後、デジタル映像信号に変換する。
【００３７】
なお、可視光信号処理部７としては、公知のカラーカメラに用いる信号処理部を用いて、第１の可視光ライン５１および第２の可視光ライン５３の２ライン（行）から１フィールド分の可視光画像の映像信号を作成する構成である。
【００３８】
また、近赤外光信号処理部８は、公知の白黒カメラに用いる信号処理部を用いることができる。
【００３９】
本実施の形態の画像撮像装置９は、前述の光学系２、撮像素子３、信号分配部４、可視光信号処理部７、近赤外光信号処理部８および分配制御部である制御部１７によって構成される。
【００４０】
このような画像撮像装置９を用いれば、デジタルカメラやビデオカメラ等、カメラの搭載された様々な機器への組み込みが容易に行え、可視光画像と近赤外光画像とを電気制御によって切り替えることのできる、また可視光画像と近赤外光画像とを同時に撮像できる機器を提供することができる。
【００４１】
次に、本発明の実施の形態の認証装置２０は、さらに、アプリケーション部２３として、可視光画像を用いたアプリケーション、例えば電子メールの作成、送受信等を行うメーラ等の実行を行うアプリケーション実行部１０を備える。
【００４２】
認証部２４は、近赤外光信号処理部８から出力された近赤外光画像のデジタル映像信号から、眼１の虹彩を含む画像（以下、虹彩画像と記す）を切り出す虹彩画像切出部１１、切り出された虹彩画像を公知の方法（例：米国特許第５２９１５６０号明細書に記載された方法）でコード化し、認証に用いるべき情報（以下、虹彩情報と記す）を作成する虹彩情報作成部１２、あらかじめ登録された複数の虹彩情報が蓄積された虹彩情報蓄積部１４および虹彩情報作成部１２で作成された虹彩情報と虹彩情報蓄積部１４に蓄積された虹彩情報とを照合して本人認証を行う照合部１３とを備える。
【００４３】
照合部１３において本人認証された結果は、表示部１５に表示されるか、または、アプリケーション実行部１０へ送られ、アプリケーションの実行に際して本人認証の結果が参照される。
【００４４】
また、制御部１７は、光源駆動部１６の駆動、撮像素子３の撮像および信号分配部４での電気信号の分配を制御している。
【００４５】
さらに、ボタンやポインティングデバイス等の公知の入力手段である入力部１８からの入力は、制御部１７に送られる。
【００４６】
以上のような認証装置２０の動作について、次に説明する。
【００４７】
図３は本発明の実施の形態の認証装置における撮像時の処理ステップを示すフローチャートである。
【００４８】
まず、使用者の眼１の画像を取得して本人認証を行う場合を例として、本発明の実施の形態の認証装置２０の動作を説明する。
【００４９】
まず、入力部１８から本人認証を行う旨の入力が行われたり、またはアプリケーション実行部１０でのアプリケーションの実行時に、使用者の本人認証を行う必要が生じた場合（ステップＳ１）、制御部１７は、光源駆動部１６に、可視光照明部６および近赤外光照明部５を点灯するよう指示を行う（ステップＳ２）。
【００５０】
なお、外光等が一定の条件下にある場合（光量が十分である場合等）は、可視光照明部６または近赤外光照明部５が点灯しないように構成されていてもよい。
【００５１】
次に、制御部１７は、撮像素子３のシャッタ制御を行い、撮像素子３は一度の撮像で、光電変換要素から可視光画像および近赤外光画像の電気信号を出力する（ステップＳ３）。
【００５２】
信号分配部４では、図２に示したような撮像素子３を用いた場合には、撮像素子３から出力された電気信号のうち、可視光フィルタが形成された行（奇数行）の光電変換要素からの信号を可視光信号処理部７へと送り、近赤外フィルタが形成された行（偶数行）の光電変換要素からの信号を近赤外光信号処理部８へと送る（ステップＳ４）。
【００５３】
近赤外光画像は、近赤外光信号処理部８において映像信号に変換された後、虹彩画像切出部１１へと送られて、虹彩画像が切り出される（ステップＳ５）。
【００５４】
次に、虹彩画像が虹彩情報作成部１２において公知の方法（例：米国特許第５２９１５６０号明細書に記載された方法）でコード化されて、認証に用いるべき情報、すなわち虹彩情報が作成される（ステップＳ６）。
【００５５】
虹彩情報は照合部１３に送られ、あらかじめ虹彩情報蓄積部１４に蓄積された虹彩情報と照合される（ステップＳ７）。
【００５６】
なお、認証装置２０が登録モードのときには、虹彩情報作成部１２において作成された虹彩情報を、虹彩情報蓄積部１４へ蓄積、すなわち登録する（ステップＳ１０）。
【００５７】
照合部１３で照合が行われた結果は、表示部１５に表示されて使用者に知らされる（ステップＳ８）か、または、アプリケーション実行部１０へ送られて、アプリケーションの起動や実行が制御される（ステップＳ９）。
【００５８】
このようにして、本実施の形態の認証装置２０を用いて、使用者の本人認証を行うことが可能となる。
【００５９】
一方、信号分配部４で可視光画像と近赤外光画像とに分配された（ステップＳ４）うちの可視光画像の信号は、可視光信号処理部７においてデジタル映像信号に変換された（ステップＳ１１）後、アプリケーション実行部１０へと送られて、この可視光画像のデジタル画像情報を用いて、所定のアプリケーションが実行される（ステップＳ１２）。
【００６０】
このようにして、撮像された可視光画像を用いて所定のアプリケーションを実行することが可能となる。
【００６１】
以上述べたように、本発明の認証装置によれば、機械的な切替機構等を用いずとも、可視光画像と近赤外光画像とを電気的な制御によって分けて取得することができる。さらに、可視光画像と近赤外光画像とを同時に撮像することができる。
【００６２】
例えば、認証を行う際に、眼１の虹彩パターンを撮像することにより、眼１の可視光画像を同時に撮像することができ、これにより、虹彩画像を取得する際に、例えば同時に眼１の色を取得することが可能となる。
【００６３】
本発明の認証装置を用いれば、例えば、図３に示したコード化された虹彩情報を虹彩情報蓄積部１４に登録する際（ステップＳ１０）に、あらかじめ眼１の可視光画像からアプリケーション実行部１０において取得された眼１の色を、虹彩情報蓄積部１４に検索を容易にするためのインデックス情報として、同時に蓄積することが可能となる。
【００６４】
また、本発明の認証装置によれば、可視光画像と近赤外光画像を同時に取得することができるので、例えば高画素の撮像素子３を用いて、可視光画像として被写体の眼１を含む画像を撮像した場合にも、被写体の虹彩画像を撮像することが可能となる。
【００６５】
さらに、眼１の可視光画像および近赤外光画像を同時に撮像し、撮像された可視光画像から眼鏡等の反射光の映り込みの有無を判別し、その結果にもとづいて近赤外光画像を認証に用いるか否かを判定する構成も可能である。
【００６６】
さらにまた、本発明の認証装置によれば、可視光画像のみを撮像したい場合、または、近赤外光画像のみを撮像したい場合には、制御部１７が信号分配部４を、どちらか一方の画像のみを出力するように制御する構成とすることが可能である。
【００６７】
なお、近赤外光照明部５と可視光照明部６とを別々に設けずに、可視光領域から近赤外領域までの波長をカバーする光源、例えばキセノンランプ等を照明部として用いれば、１つの照明部を用いた構成も可能である。
【００６８】
なお、図２は、撮像素子３を構成する光電変換要素（画素）のうち、縦×横＝４×６＝２４画素の領域を取り出して、その構成を示したものである。本発明は撮像素子３の画素数を限定するものではない。本発明の撮像素子３としては、ＶＧＡ（６４８×４８０画素）、１６００×１２００（ＵＸＧＡ）、１０２４×７６８（ＸＧＡ）および８００×６００（ＳＶＧＡ）等の様々な画素数の撮像素子を用いることができる。
【００６９】
また、図２には、撮像素子３として、カラーフィルタの構成がＲ、Ｇ、Ｂの３原色から構成される場合を示したが、本発明はこれに限定されない。
【００７０】
例えば、図４に示した撮像素子７０のように、可視光ライン６１、６３として、マゼンタ（Ｍｇ）フィルタ、シアン（Ｃｙ）フィルタ、黄（Ｙｅ）フィルタおよびＧフィルタから選択される、いわゆる補色フィルタを用いた構成であってもよいことはいうまでもない。この構成においても、１ライン（行）毎に信号を分配することにより、可視光ライン６１、６３の組み合わせから可視光画像の電気信号が出力され、近赤外光ライン６２、６４からは近赤外光画像の電気信号が出力される構成が実現できる。なお、補色フィルタの材質や、光電変換要素上への形成方法については、本発明は何ら限定するものではない。
【００７１】
なお、本発明の認証装置は、実施の形態で述べたような虹彩認証装置に限定されず、近赤外光等の特定波長域の照明下で撮像された画像にもとづいて認証を行う認証装置、例えば、眼底認証等を行う認証装置についても適用可能であることはいうまでもない。
【００７２】
また、本発明の実施の形態においては、撮像素子の光電変換要素の配列が、マトリクス配列である場合を例として示したが、本発明の撮像素子は、これに限定されず、例えば、ハニカム状の配列であってもよいことはいうまでもない。
【００７３】
【発明の効果】
以上のように、本発明の認証装置によれば、従来の認証装置のように、機械的なフィルタ切替機構等を設ける必要がないので、ユーザに切替負担の少ない、かつ小型化の可能な認証装置を提供することができる。
【図面の簡単な説明】
【図１】本発明の実施の形態における認証装置の構成を示すブロック図
【図２】本発明の実施の形態における撮像素子の構成の一例を示すための平面図
【図３】本発明の実施の形態の認証装置における撮像時の処理ステップを示すフローチャート
【図４】本発明の実施の形態における撮像素子の構成の別の一例を示すための平面図
【図５】従来の虹彩認証装置における撮像部付近の構成を示す図
【符号の説明】
１　眼
２　光学系
３，７０　撮像素子
４　信号分配部
５　近赤外光照明部
６　可視光照明部
７　可視光信号処理部
８　近赤外光信号処理部
９　画像撮像装置
１０　アプリケーション実行部
１１　虹彩画像切出部
１２　虹彩情報作成部
１３　照合部
１４　虹彩情報蓄積部
１５　表示部
１６　光源駆動部
１７　制御部
１８　入力部
１９　照明部
２０　認証装置
２１　撮像部
２２　信号処理部
２３　アプリケーション部
２４　認証部
５１　第１の可視光ライン
５２，５４，６２，６４　近赤外光ライン
５３　第２の可視光ライン
６１，６３　可視光ライン
【図１】
2004086412.tif 000003
【図２】
2004086412.tif 000004
【図３】
2004086412.tif 000005
【図４】
2004086412.tif 000006
【図５】
2004086412.tif 000007